(57)【特許請求の範囲】
【請求項１】
外刃とこの外刃が装着された外刃枠とからなる刃カセットを複数並列に配置するとともに各刃カセットを本体に対してフロート自在としている往復式電気かみそりにおいて、各刃カセットをフロート自在に保持する枠状の保持部材に対して各刃カセットの外面を上記保持部材の外面側に配するとともに、上記保持部材の長手方向の両端壁に上記フロート方向のスリットを設け、各刃カセットの外刃枠の長手方向両端にこの長手方向に添った係合片を夫々設けて、該係合片を上記スリットに挿通係合させていることを特徴とする往復式電気かみそり。
【請求項２】
刃カセットは保持部材の内周側に位置する内壁を備えた二重壁構造となっていることを特徴とする請求項１記載の往復式電気かみそり。
【請求項３】
係合片は二重壁間をつなぐものとして形成されていることを特徴とする請求項２記載の往復式電気かみそり。
【請求項４】
内壁の下端が保持部材のスリットの下端よりも下方に位置していることを特徴とする請求項２または３記載の往復式電気かみそり。
【請求項５】
一対の刃カセット間に配された他の刃カセットを備えるとともに、上記の他の刃カセットは保持部材の両端壁の外側と内側の異なる高さに位置する２カ所で保持及びフロートガイドがなされていることを特徴とする請求項１〜４のいずれかの項に記載の往復式電気かみそり。
【請求項６】
一対の刃カセット間に他の刃カセットを配しているとともに、両側に位置する一対の刃カセットは、その長手方向両端における厚み方向の幅が中央部より小さくなっていることを特徴とする請求項１または５記載の往復式電気かみそり。
【請求項７】
刃カセットは、外刃が固着された取付枠部と、係合片を備えた外刃枠とが別体に形成されて、取付枠部が外刃枠に着脱自在とされていることを特徴とする請求項１〜６のいずれかの項に記載の往復式電気かみそり。
【請求項８】
肌伸ばし部材を備えるとともに該肌伸ばし部材は外刃枠側に設けられていることを特徴とする請求項７記載の往復式電気かみそり。
【請求項９】
各刃カセットが保持部材に対して着脱自在とされていることを特徴とする請求項１記載の往復式電気かみそり。
【発明の詳細な説明】
【０００１】
【発明の属する技術分野】
本発明は往復式電気かみそり、殊に外刃を外刃枠に装着した刃カセットを複数並列に配置するとともに各刃カセットを本体に対してフロート自在としている往復式電気かみそりに関するものである。
【０００２】
【従来の技術】
外刃を肌に密着させて髭を剃りあげる効率を高くするために、外刃を外刃枠に装着した刃カセットを複数並列に配置するとともに各刃カセットを本体に対してフロート自在としているものが提供されている。特開平８−３２３０６３号公報に示されたこの種の往復式電気かみそりでは、従来、各刃カセットを保持部材内に納めて、この保持部材内で刃カセットがフロート動作を行うようにされていた。
【０００３】
【発明が解決しようとする課題】
上記構成であると、各刃カセットは保持部材で保護されることになるために外力に対して頑丈であるという利点があるものの、鏡を見ながら髭を剃っている時、刃カセットは保持部材で覆われていることからそのフロート状態が見えず、これに伴って、刃カセットにおける外刃を肌に効率良く当てるということが難しいものとなっている。
【０００４】
もっとも、上記保持部材と刃カセットとの関係を逆転させて、刃カセットが保持部材に被さった形でフロート動作するようにしたならば、刃カセットの動きが良く見えるものとなるが、複数の刃カセットを並列に配置したものでは保持部材の全周を覆う状態で各刃カセットを設けることができないために、外側に引っ張る力が刃カセットに働いた場合、刃カセットが保持部材から外れてしまうものとなるとともに、上記のような外力は髭を剃る動作の際、刃カセットに常時働くことから、この点を解決しなくてはならない。
【０００５】
本発明はこのような点に鑑み為されたものであり、その目的とするところは刃カセットのフロート状態を外部から容易に判別することができる上に刃カセットの保持強度を高くとることができる往復式電気かみそりを提供するにある。
【０００６】
【課題を解決するための手段】
しかして本発明は、外刃とこの外刃が装着された外刃枠とからなる刃カセットを複数並列に配置するとともに各刃カセットを本体に対してフロート自在としている往復式電気かみそりにおいて、各刃カセットをフロート自在に保持する枠状の保持部材に対して各刃カセットの外面を上記保持部材の外面側に配するとともに、上記保持部材の長手方向の両端壁に上記フロート方向のスリットを設け、各刃カセットの外刃枠の長手方向両端にこの長手方向に添った係合片を夫々設けて、該係合片を上記スリットに挿通係合させていることに特徴を有している。
【０００７】
刃カセットが保持部材に被さった形でフロート動作するために、刃カセットの動きが良く見えるものであり、しかも上記形態とするにあたり、保持部材の両端壁に設けたフロート方向のスリットに各刃カセットに設けた係合片を挿通させていることから、単なる凹凸係合で刃カセットの保持部材への装着を行ったものと異なり、外側に引っ張る力が刃カセットに働いても刃カセットが保持部材から外れることがない。
【０００８】
上記刃カセットは保持部材の内周側に位置する内壁を備えた二重壁構造となっていることや、上記係合片は二重壁間をつなぐものとして形成されていることが刃カセットの取付強度の向上の点で好ましい。
また、内壁の下端が保持部材のスリットの下端よりも下方に位置していると、髭屑がスリットを通じて出てしまうことを防ぐことができる。
【０００９】
一対の刃カセット間に他の刃カセットを配したものであってもよく、この場合、他の刃カセットは保持部材の両端壁の外側と内側の異なる高さに位置する２カ所で保持及びフロートガイドがなされるようにしておくと、外力によっても傾くことがないスムーズなフロート動作を得ることができる。
また、一対の刃カセット間に他の刃カセットを配しているものにおいては、両側に位置する一対の刃カセットの長手方向両端における厚み方向の幅を中央部より小さしておくと、中央に位置する他の刃カセットの長手方向両端の保持部材への取付部分の幅を強度の点で有利な大きなものとすることができる。
【００１０】
刃カセットは、外刃が固着された取付枠部と、係合片を備えた外刃枠とが別体に形成されて、取付枠部が外刃枠に着脱自在とされたものであってもよい。この時、肌伸ばし部材を備えたものにおいては、該肌伸ばし部材は外刃枠側に設けておくとよい。
さらには各刃カセットが保持部材に対して着脱自在とされているものであってもよい。
【００１１】
【発明の実施の形態】
本発明の実施の形態の一例について説明すると、図示の往復式電気かみそりは図５に示すように、３つの刃カセット１，２，１が平行並列に配されて各刃カセット１，２，１が夫々独立してフロート自在となっているとともに振動動作を行うリニアモータ６によって各刃カセット１，２，１の外刃１０，２０，１０に対応する内刃５３，５５，５３が往復駆動されるもので、短手方向両側に配された刃カセット１は、図１に示すように、外刃枠１２の内側に一体に形成している取付枠部１３にフォイル状の外刃１０を取り付けるとともに肌を伸ばして髭を起こすための薄肉弾性リブを備えた肌伸ばし部材１１を取付孔１７を利用して取り付けたもので、外刃枠１２の片面と両端面とは取付枠部１３の外周側に間隔をおいた状態で下方側に突出している。そして、取付枠部１３の両端外面と外刃枠１２の両端壁１４の内面とは、図２にも示すように、係合片１５によってつながっており、また上記両面からは夫々突部１６，１６が突設されている。
【００１２】
刃カセット２は図３に示すようにスリット刃と称されるタイプの外刃２０の両端に支持体２１，２１をボス２６を利用して夫々固着したもので、両支持体２１，２１は、相互に対向する内面側にばね受け２７を備え、外面側にはカバー片２２とカバー片２２の内面に形成された縦リブ２５とを備え、さらに下端には下方に突出するフック２３とフック２３の片面に形成された縦リブ２４を備えたものとなっている。そして、上記外刃２０の内面に摺接する内刃５５が取り付けられた継手５４の下面と上記ばね受け２７との間に配された押し上げばね５６によって、上記内刃５５は刃カセット２に取り付けられているとともに外刃２０の内面に接触している。
【００１３】
これら刃カセット１，２，１は、矩形状の保持部材３と同じく矩形状の外刃フレーム４とを介して前記リニアモータ６を内蔵する本体５に装着される。保持部材３は、図１に示すように、両側片の上縁から夫々複数のフロート用ばね片３２を上方に向けて一体に突出するとともに、長手方向両端の下面からフック３０を突設したもので、両端壁には図２にも示すように、上端が開放された夫々一対の縦方向スリット３３，３３が形成されており、スリット３３の一方の側壁上端にはフック３４が設けられている。また、両スリット３３に挟まれた中央部の外面の上部側には縦溝３８が設けられ、下部側には上記フック３０を内部側に備えた押釦部３１が設けられている。さらに両端壁の内面の幅方向中央部には、図１に示すように、縦溝３７を備えたフック３６とばね受け片３９とが設けられている。
【００１４】
刃カセット１の保持部材３への装着は、刃カセット１の外刃枠１２を保持部材３に被せて前記係合片１５をスリット３３内に位置させることで行う。この時、保持部材３におけるフック３４は係合片１５の上方の縦長孔に位置し、外刃枠１２の突部１６，１６はスリット３３の脇のガイド片３５の両面に接する。図７に示すように係合片１５をスリット３３内に位置させるとともにフック３４で係合片１５の抜け止めがなされた刃カセット１は、保持部材３に上下動自在に保持されるものであり、また保持部材３におけるフロート用ばね片３２が外刃枠１２の下面に接することから、刃カセット１は上方にばね付勢されてフロート自在となっており、また、刃カセット１の上下動はスリット３３と係合片１５及び突起１６とガイド片３５とによってガイドされる。
【００１５】
保持部材３の幅方向中央部に上下動自在に配設される刃カセット２は、支持体２１のフック２３を保持部材３のフック３６に係合させることで抜け止めがなされるとともに、ばね受け片３９との間に配されたフロートばね４５によって上方へばね付勢されてフロート自在となっているもので、この時、フック２３のところに設けられた縦リブ２４が保持部材３の縦溝３７内を、保持部材３の外側に位置するカバー片２２のところに設けられた縦リブ２５が保持部材３の縦溝３８内をスライドすることで、刃カセット２の上下動についてのスライドガイドを行う。
【００１６】
保持部材３はそのフック３０を外刃フレーム４の両端部内面に設けられた係合凹所４０に係止させることで、押釦３１を外刃フレーム４の両端外面側に位置させた状態で外刃フレーム４に装着される。
刃カセット１，１における内刃５３，５３は、図４に示すように、本体１の上端から突出する一対の駆動子５１，５１の上端に上方へばね付勢された状態で取り付けられ、刃カセット１を保持部材３及び外刃フレーム４を介して本体５に取り付けた時、刃カセット１の外刃１０の内面に接するものであり、また本体５が内蔵するリニアモータ６の往復振動が駆動子５１を介して内刃５３に伝えられる。刃カセット２が内蔵する内刃５５は、一方の駆動子５１に付設された駆動継手５２と継手５４とが連結されることで、リニアモータ６の動きが伝達される。
【００１７】
上述したところから明らかなように、２つの刃カセット１，１と、この両者の間に配された刃カセット２とは、図９及び図１０、あるいは図１１及び図１２に示すように、夫々独立してフロート自在となっており、このために髭剃りにあたって刃カセット１，２，１を肌に押し当てた時、各外刃１０，２０，１０が肌に接触する状態を確実に得ることができるものであり、しかも鏡を見ながら髭を剃る時、保持部材３の外側に刃カセット１，２，１の外面が出ているために、各刃カセット１，２，１のフロート状態を確認することができ、これに伴って、各外刃１０，２０，１０が肌に接するように持ち方などを調節することができる。
【００１８】
そして、刃カセット１が保持部材３の外側に被さるようにしているわけであるが、刃カセット１はその係合片１５を保持部材３に設けたスリット３３に通している上に、ここでの係合片１５は片持ちではなく両持ちのものとして形成しているために、外側に向けての外力が加わったとしても、刃カセット１が外れてしまうようなことがない。加えるに、刃カセット１の外刃枠１２は、長手方向において取付枠部１３が保持部材３の内側に位置する上に、側方側においても図５に示すように、保持部材３の内側に入る内壁１８を外刃枠１２が備えたものとなっており、ちょうど二重壁の間に保持部材３が入るようになっているために、なおさら上記外力に対して強いものとなっている。なお、取付枠部１３の下端はスリット３３の下端よりも下方に位置するために、中に溜まった髭屑がスリット３３を通じて外部に出てしまうこともない。また、一対の突起１６，１６がガイド片３５を挟んでいるために、内刃５３の駆動方向におけるがたつきもない。
【００１９】
刃カセット２にしても、前記縦溝３８と縦リブ２５とによるスライドガイドが保持部材３の外面上部でなされ、縦溝３７と縦リブ２４とによるスライドガイドが保持部材３の内面下部でなされることから、側方からの外力で傾いたり、こじれたりすることがなく、常にスムーズなフロート動作を得ることができるものとなっている。さらに、刃カセット１の外刃枠１２の両端壁１４は、図８に示すように外刃枠１２の全幅Ｂ２より短い幅Ｂ１として、一対の刃カセット１，１間に配置する刃カセット２の支持体２１に幅の大きいものを用いることができるようにしているために、この点においても刃カセット２の保持部材３への取付強度を高くすることができるものとなっている。
【００２０】
図１３に他例を示す。これは刃カセット１における外刃枠１２から矩形枠状の取付枠部１３を独立させて別体とし、取付枠部１３の両端外面に設けた係止突起１３１を外刃枠１２に設けた係止孔１９に係止させることで、取付枠部１３の外刃枠１２への固定を行えるようにしたものである。図中１３０は上記係止突起１３１と係止孔１９との係止を外す際に指をかけるための把手部である。外刃１０が装着された取付枠部１３を外刃枠１２に着脱自在としているわけであり、これに伴って外刃１０の交換の必要が生じた時、外刃１０を取付枠部１３ごと容易に交換することができる。なお、肌伸ばし部材１１は外刃枠１２側に設けて、外刃１０及び取付枠部１３の容易な着脱を行えるようにしている。
【００２１】
図１４に更に他例を示す。ここでは保持部材３が前記外刃フレーム４を兼用しているものとするとともに、保持部材３の両端壁に夫々３個のスリット３３を形成し、保持部材３の両端壁の内面側に夫々着脱ばね４６を取り付けて各着脱ばね４６に設けたフック４８と押釦部４９とを上記両端壁に設けた孔を通じて保持部材３の外面側に露出させている。
【００２２】
刃カセット１は係合片１５をスリット３３に挿通することで上下動がガイドされ、刃カセット２は支持体２１の縦リブ２５をスリット３３に挿通することで上下動がガイドされる。また、刃カセット１の外刃枠１２はその両端壁１４の下部内面に設けたフック１８０が着脱ばね４６のフック４８と係合することで抜け止めがなされ、刃カセット２の支持体２１はカバー片２２の下端内面に設けたフック２１０が着脱ばね４６のフック４８に係合することで抜け止めがなされている。押釦部４９を押して着脱ばね４６を撓ませることで、フック１８０，４８の係合、あるいはフック２１０，４８の係合を外すことで、各刃カセット１，２の取り外しを行うことができる。部品点数の削減によるコストの低減と、保持部材３が直接本体５に取り付けられることで駆動方向の剛性が高くなることによる切れ味の向上と、刃カセット１，２の交換の便宜の向上とを図ったものである。
【００２３】
【発明の効果】
以上のように本発明においては、各刃カセットをフロート自在に保持する枠状の保持部材に対して各刃カセットの外面を上記保持部材の外面側に配しており、刃カセットが上記保持部材に被さった形でフロート動作するために、刃カセットの動きが良く見えて肌に適切な状態で接触させることができるものであり、しかも刃カセットを複数並列に配置しているために、保持部材の全周を覆う状態で各刃カセットを設けることができず、これ故に本来ならば刃カセットの短手方向である外側に引っ張る力が刃カセットに働いた場合に刃カセットが保持部材から外れてしまいやすくなるのであるが、保持部材の長手方向の両端壁に上記フロート方向のスリットを設け、各刃カセットの外刃枠の長手方向両端にこの長手方向に添った係合片を夫々設けて、該係合片を上記スリットに挿通係合させていることから、短手方向（髭剃り時に電気かみそりを動かす方向）である外側に引っ張る力が刃カセットに働いても刃カセットが保持部材から外れることがなく、高い取付強度を得ることができるものである。
【００２４】
上記刃カセットが保持部材の内周側に位置する内壁を備えた二重壁構造となっていると、さらに取付強度を高くすることができ、しかも係合片が二重壁間をつなぐものとして形成されていると、係合片そのものの強度が高くなって、外力が大きい時にも係合片が破損して刃カセットが外れてしまうという事態を招くことがないものとなる。
【００２５】
また、内壁の下端が保持部材のスリットの下端よりも下方に位置していると、内部に溜まった髭屑がスリットを通じてこぼれ出てしまうことを内壁で防ぐことができる。
一対の刃カセット間に他の刃カセットを配したものであってもよく、この場合、他の刃カセットは保持部材の両端壁の外側と内側の異なる高さに位置する２カ所で保持及びフロートガイドがなされるようにしておくと、他の刃カセットも外力によって傾くことがないスムーズなフロート動作を得ることができる。
【００２６】
一対の刃カセット間に他の刃カセットを配しているものにおいては、両側に位置する一対の刃カセットの長手方向両端における厚み方向の幅を中央部より小さしておくと、中央に位置する他の刃カセットの長手方向両端の保持部材への取付部分の幅を大きくすることができるために、他の刃カセットの保持部材への取付強度を高くすることが容易となる。
【００２７】
刃カセットは、外刃が固着された取付枠部と、係合片を備えた外刃枠とが別体に形成されて、取付枠部が外刃枠に着脱自在とされたものであってもよい。外刃の交換の便宜がよくなる。この時、肌伸ばし部材を備えたものにおいては、該肌伸ばし部材は外刃枠側に設けておくのが、外刃と取付枠部との着脱を容易とする点で好ましい結果を得ることができる。
【００２８】
さらに各刃カセットが保持部材に対して着脱自在とされているものであってもよい。刃カセット単位で刃の交換を行うことができて、刃交換時のコストを低くすることができる。
【図面の簡単な説明】
【図１】本発明の実施の形態の一例の分解斜視図である。
【図２】同上の外刃枠と保持部材の拡大分解斜視図である。
【図３】同上の他の刃カセットの分解斜視図である。
【図４】同上の本体と駆動子の分解斜視図である。
【図５】同上の横断面図である。
【図６】同上の階段縦断面図である。
【図７】同上の破断側面図である。
【図８】同上の外刃枠と保持部材と支持体の分解平面図である。
【図９】同上の斜視図である。
【図１０】同上のフロート動作時の斜視図である。
【図１１】同上の側面図である。
【図１２】  (a)(b)(c)は各刃カセットのフロート動作時の側面図である。
【図１３】他例の刃カセットの分解斜視図である。
【図１４】さらに他例の分解斜視図である。
【符号の説明】
１  刃カセット
３  保持部材
１０  外刃
１２  外刃枠
１３  取付枠部
１５  係合片
３３  スリット
【図１】
0003814965.tif 000002
【図２】
0003814965.tif 000003
【図３】
0003814965.tif 000004
【図４】
0003814965.tif 000005
【図５】
0003814965.tif 000006
【図６】
0003814965.tif 000007
【図７】
0003814965.tif 000008
【図８】
0003814965.tif 000009
【図９】
0003814965.tif 000010
【図１０】
0003814965.tif 000011
【図１１】
0003814965.tif 000012
【図１２】
0003814965.tif 000013
【図１３】
0003814965.tif 000014
【図１４】
0003814965.tif 000015